(57)【特許請求の範囲】
【請求項１】
面体に、その面体の装着時に顔面に接触する位置で、設けられる金属製の導電性接触片と、
面体内に設けられ、一端部が接触片に接続され、他端部が、供給弁を接続する面体の導電性接続口に接続され、１０5〜１０7Ωの電気抵抗値を有する固定抵抗器とを含み、
呼吸器の電気抵抗値を１０5〜１０7Ωとし、
固定抵抗器の前記一端部と前記他端部とは、電気絶縁性材料から成る被覆層によって被覆された２つの各導線にそれぞれ接続され、
固定抵抗器の前記一端部と一方の導線とにわたって、および前記他端部と他方の導線とにわたって、電気絶縁物によって被覆され、
前記一方の導線は、接触片に接続され、前記他方の導線は、前記供給弁を接続する面体の接続口に接続されることを特徴とする静電気導電形呼吸器。
【請求項２】
固定抵抗器は、面体への吸気ガスが供給される入口付近に配置されることを特徴とする請求項１記載の静電気導電形呼吸器。
【請求項３】
圧力容器内の吸気ガスを、その圧力容器に取付けられ手動つまみの操作によって開閉可能な塞止弁から、減圧弁に導いて減圧し、中圧ホースおよび供給弁を介して面体に供給し、
圧力容器は、装着者の背部に支持される金属製背負具に着脱自在に取付けられる静電気導電形呼吸器において、
導電性シート体から成り、圧力容器、塞止弁、減圧弁および背負具を覆い、塞止弁の手動つまみの位置付近に、開閉可能な開口が形成される可撓性カバーと、
コロナ放電機能を有するシート体または導電性のシート体から成り、前記開口に連なって固定され、カバーの内方に配置され、手首を開口から内方に挿入して塞止弁の手動つまみを操作するための可撓性袋体とを含み、
カバーは、装着者に電気的に導通されていることを特徴とする静電気導電形呼吸器。
【請求項４】
圧力容器内の吸気ガスを、その圧力容器に取付けられ手動つまみの操作によって開閉可能な塞止弁から、減圧弁に導いて減圧し、中圧ホースおよび供給弁を介して面体に供給し、
圧力容器は、装着者の背部に支持される金属製背負具に着脱自在に取付けられる静電気導電形呼吸器において、
導電性シート体から成り、圧力容器、塞止弁、減圧弁および背負具を覆い、塞止弁の手動つまみの位置付近に、開閉可能な開口が形成される可撓性カバーと、
コロナ放電機能を有するシート体または導電性のシート体から成り、前記開口に連なって固定され、カバーの内方に配置され、手首を開口から内方に挿入して塞止弁の手動つまみを操作するための可撓性袋体とを含み、
面体に、その面体の装着時に顔面に接触する位置に、設けられる導電性接触片と、
面体に設けられ、一端部が接触片に接続され、他端部は、減圧弁、塞止弁、圧力指示計導気管、圧力指示計、中圧ホース、供給弁およびカバーに電気的に導通され、１０5〜１０7Ωの抵抗値を有する固定抵抗器とを含むことを特徴とする静電気導電形呼吸器。
【発明の詳細な説明】
【０００１】
【発明が属する技術分野】
本発明は、静電気導電形呼吸器に関する。
【０００２】
【従来の技術】
静電気導電形呼吸器は、呼吸器を構成する各構成要素が導電し、その呼吸器を装着している人体にまで流し、その人体を接地することによって、呼吸器および人体に静電気を蓄えないようにし、これによって爆発しやすいガス環境下で、静電気が原因となる爆発事故を防ぐ安全用具として用いることができる。この静電気導電形呼吸器は、たとえば化学工場、石油精製工場などの可燃性物質などの爆発の危険性がある環境下での静電気対策を必要とする作業に適した呼吸器として、用いられる。
【０００３】
また、静電気安全指針（労働省産業安全研究所作成）によれば、人体の帯電による火花発生を防止するために、人体の漏洩抵抗値は１０8 Ω以下と規定されている。また、低圧配電線に触れて感電する場合には、漏洩抵抗値を１０5 Ω以上、１０8 Ω以下が望ましいとされている。したがって呼吸器から人体および靴を含めたすべての漏洩抵抗値を、１０5Ω以上、１０8Ω以下にする必要がある。さらに人体の帯電電位は、１００Ｖ以下とする必要がある。実際に使用する静電気帯電防止用靴（以下、静電靴と略称する）は、１０7 Ω以下であり、呼吸器の電気抵抗値は、１０5Ω〜１０7Ωが望ましい。
【０００４】
典型的な先行技術では、顔面に装着される面体には、顔面との気密性を達成するために顔面に密着して面接触して当接する弾発性を有する環状のゴムなどの弾発性を有するシール部材が用いられる。このシール部材を導電性とし、このシール部材は、呼吸器の構成要素に電気的に接続される。これによって呼吸器の各構成要素において発生した静電気は、導電性シール部材から顔面を経て人体から接地されることになり、静電気の帯電を防ぐことができる。
【０００５】
この先行技術の呼吸器の問題は、ゴムから成るシール部材の電気抵抗値が、周囲の温度によって大きく変化するということである。たとえば２０℃で１×１０6Ωであり、０℃になると１×１０7Ωとなり、一般には、２０℃変化すると、その電気抵抗値は１桁変化してしまう。また、ゴム材料に添加する導電材料の混入量等によって電気抵抗値が変動する。シール部材の電気抵抗値が高くなり過ぎると、静電気を充分に逃がすことができず、静電気が帯電してしまうおそれがある。また、電気抵抗値が下がりすぎると人体の感電のおそれがある。したがって呼吸器の通電性能が不安定である。そのため、温度変化、導電材料の混入量の変動を見越して面体シール部材の電気抵抗値を定める必要がある。
【０００６】
この先行技術ではまた、希望する通電性能を有しているかどうかの点検が面倒であるということである。呼吸器から人体に静電気を流すためには、その面体の上述の導電性シール部材から人体へ電気が流れる。電気は、シール部材の顔面に接触する部分全体の接触面積にわたって、流れる。したがってシール部材と顔面との接触面積によって、電気の流れる電流値が変化することになる。特に絶縁抵抗計の一方の約φ２ｍｍの外径を有する接触棒をシール部材の一部に当接し、他方の接触棒を呼吸器の面体以外の構成要素、たとえば圧力容器の金属部分などに当接して電気抵抗値を測定しても、電気抵抗値が１０7 Ω程度では、シール部材と接触棒の接触面積が小さいため、呼吸器の実際の使用状況における電気抵抗値の真値とはいえない。また１０8 Ωを越えて使用可否を判定できない。したがって従来では、点検のために、人体の顔面の形状を有する表面が導電性であるダミーの頭部模型を予め作成して準備しておき、この頭部模型の顔面に面体を装着し、シール部材をその顔面に面接触させた状態で、電気抵抗値の測定を行う必要がある。したがって上述のように人体の頭部模型などの検査治具を必要とするという問題がある。
【０００７】
先行技術ではまた、圧力容器などを含む呼吸器の圧力容器および背負具などを、導電性帯電防止素材を使用したカバーで覆う。これによって金属部品からの放電および衝撃による火花の発生を防止する。圧力容器に固定されている塞止弁の開閉操作のための手動つまみを角変位に操作するために、カバーには、手および前腕を挿入するための開口が設けられる。したがってこの開口を経て、塞止弁付近の金属部品が露出し、またはたとえば金属製圧力容器本体を被覆するエポキシ樹脂などの被覆層が露出し、これによって静電気による火花の発生のおそれがある。
【０００８】
【発明が解決しようとする課題】
本発明の目的は、呼吸器から人体を経て静電気を漏洩して逃がすための導電性能を安定化させ、その静電気の帯電防止のための導電性能の点検を容易に行うことができるようにした静電気導電形呼吸器を提供することである。
【０００９】
【課題を解決するための手段】
本発明は、面体に、その面体の装着時に顔面に接触する位置で、設けられる金属製の導電性接触片と、
面体内に設けられ、一端部が接触片に接続され、他端部が、供給弁を接続する面体の導電性接続口に接続され、１０5〜１０7Ωの電気抵抗値を有する固定抵抗器とを含み、
呼吸器の電気抵抗値を１０5〜１０7Ωとし、
固定抵抗器の前記一端部と前記他端部とは、電気絶縁性材料から成る被覆層によって被覆された２つの各導線にそれぞれ接続され、
固定抵抗器の前記一端部と一方の導線とにわたって、および前記他端部と他方の導線とにわたって、電気絶縁物によって被覆され、
前記一方の導線は、接触片に接続され、前記他方の導線は、前記供給弁を接続する面体の接続口に接続されることを特徴とする静電気導電形呼吸器である。
【００１０】
本発明に従えば、導電性接触片は、面体を人体の顔面に接触する位置で面体に取付けられ、この接触片は、面体に設けられた固定抵抗器を介して、呼吸器の構成要素に接続されて電気的に導通される。接触片は、その少なくとも表面が導電性であり、金属製であり、印加電圧が１００Ｖ以下で絶縁抵抗計の接触棒で１０Ω以下の電気抵抗が測定できればよい。接触片は、局部的に顔面に接触する形状を有し、たとえばφ０．５〜１ｃｍ程度のボタン状の形状を有していてもよい。
【００１１】
電気抵抗値が１０5 Ω未満であるときには、呼吸器の導電部分がたとえば１００〜４００Ｖの商用電源に接触したとき、本件呼吸器を装着して作業している装着者が万一、静電靴をはいていないなどの際に感電してしまい、危険である。また、できる限り人体に近い面体に設けることが、感電防止上、有効である。呼吸器から静電靴または足までの電気抵抗値を１０8 Ωを越える値にすると、静電気が流れにくくなり、呼吸器に静電気が帯電し、したがって帯電防止性能を達成することができなくなる。呼吸器に発生した静電気は、呼吸器から人体を経てその呼吸器の装着者がはいている静電靴を経て、静電気帯電防止用床（以下、導電床と略称する）に流れる。静電靴の電気抵抗値は、たとえば１０5〜１０7Ωである。面体に設けた固定抵抗器は、このような電気抵抗値になるように設定する必要がある。これによって呼吸器に静電気が帯電することなく、接地して逃がすことができる。
【００１２】
固定抵抗器は、たとえば金属被膜抵抗、カーボン抵抗および巻線抵抗などの商業的に入手可能な固定抵抗器を用いることができ、このような固定抵抗器は、周囲の温度が変化しても、その電気抵抗値は安定している。したがって静電気導電性能が安定化されることになる。
【００１３】
本件呼吸器の使用前における静電気導電機能の点検にあたっては、本件呼吸器を電気絶縁物の上に乗せた状態で、絶縁抵抗計の一方の接触棒を接触片にあてるとともに、他方の接触棒を、面体とは最も離れた呼吸器の構成要素であるカバーにあて、電気抵抗値を求める。本発明に従えば、接触片は顔面に局部的に接触するものであり、先行技術に関連して前述した頭部模型などの検査治具を用いることなく、電気抵抗値を測定することができ、点検が簡単である。また、導電性シール部材の電気抵抗値の変動は大きくてもよい。
【００１４】
面体の導電性接続口には、後述のプレッシャデマンド弁またはデマンド弁などの供給弁の接続口が着脱可能に、または固定的に接続される。固定抵抗器の前記他端部は、面体の導電性接続口に接続される。これによって固定抵抗器の前記他端部は、本件呼吸器に電気的に接続される。
【００１５】
本発明の実施の一形態では、面体のすべては、導電性材料から成り、また供給弁も導電性材料から成る。
【００１７】
本発明に従えば、固定抵抗器の両端部は、電気絶縁被覆層を有する導線にそれぞれ接続され、固定抵抗器の両端部と露出している導線とにわたって、合成樹脂接着剤、たとえばエポキシ樹脂などで被覆される。したがって呼気ガスなどに含まれる水蒸気および水滴などによって固定抵抗器およびその金属接続部分が腐食したり、またショートすることが防がれ、長期間にわたって安定した電気抵抗値を保つことができる。
【００１８】
また本発明は、固定抵抗器は、面体への吸気ガスが供給される入口付近に配置されることを特徴とする。
【００１９】
本発明に従えば、固定抵抗器は、吸気ガスの入口付近、すなわち面体の供給弁との接続口付近に配置され、この吸気ガスは、乾燥した低湿度のガスであり、したがって固定抵抗器および金属部分は腐食するおそれがなく、安定した電気抵抗値を保つことができる。
【００２０】
また本発明の実施の一形態は、圧力容器内の吸気ガスを、その圧力容器に取付けられ手動つまみの操作によって開閉可能な塞止弁から、減圧弁に導いて減圧し、中圧ホースを経てプレッシャデマンド弁またはデマンド弁などの供給弁でほぼ大気圧程度の圧力まで減圧して面体に供給し、
圧力容器は、装着者の背部に支持される金属製を背負具に着脱自在に取付けられ、
前記中圧ホースは、ゴム製管路本体の外周面を金属製被覆体によって外囲されてその金属製被覆体の外面を帯電防止性能を有するゴムで囲って構成され、
前記他方の導線は、面体の接続口、その面体の接続口にたとえば着脱自在にまたは固定的に接続される供給弁の接続口、および導電性の供給弁を経て、前記金属製被覆体に接続され、
前記被覆体の減圧弁寄りの端部は、連結用導線の一端部に接続されて圧力指示計導気管および圧力指示計に電気的に導通され、
この連結用導線は、背負具、カバーに接続されることを特徴とする。
【００２１】
本発明に従えば、減圧弁から面体に吸気ガスを供給する可撓性管路である中圧ホースは、金属製被覆体、たとえば金属製網によってゴム製管路本体の外周面に補強されており、前記接触片は、一方の導線を介して固定抵抗器に接続され、他方の導線は、導電性供給弁を介して中圧ホースの金属製被覆体に面体寄りの端部に導通する。中圧ホースの減圧弁寄りで被覆体の端部は、連結用導線、たとえば可撓性を有する複数本の素線から成る撚り線などの一端部に接続され、この連結用導線は、金属製背負具、導電性カバーに接続される。
【００２２】
さらに連結用導線は、圧力容器内に充填された吸気ガスの圧力を検出する圧力指示計に吸気ガスを導く圧力指示計導気管を外囲して保護するコイル状の金属製被覆体に接続されている。
【００２３】
また本発明は、圧力容器内の吸気ガスを、その圧力容器に取付けられ手動つまみの操作によって開閉可能な塞止弁から、減圧弁に導いて減圧し、中圧ホースおよび供給弁を介して面体に供給し、
圧力容器は、装着者の背部に支持される金属製背負具に着脱自在に取付けられる静電気導電形呼吸器において、
導電性シート体から成り、圧力容器、塞止弁、減圧弁および背負具を覆い、塞止弁の手動つまみの位置付近に、開閉可能な開口が形成される可撓性カバーと、コロナ放電機能を有するシート体または導電性のシート体から成り、前記開口に連なって固定され、カバーの内方に配置され、手首を開口から内方に挿入して塞止弁の手動つまみを操作するための可撓性袋体とを含み、
カバーは、装着者に電気的に導通されていることを特徴とする静電気導電形呼吸器である。
【００２４】
本発明に従えば、導電性を有する可撓性カバーによって圧力容器、塞止弁、減圧弁および背負具を覆い、この塞止弁の開閉を行う手動つまみを操作することができるようにするために、カバーに形成された開口には、コロナ放電機能を有するシート体または導電性のシート体から成るポケット状の可撓性袋体が、カバーの内方に連なって配置される。したがって操作者はこの開口から手さらには前腕の一部を袋体内に挿入し、手動つまみを操作してたとえば約１８０度ずつ操作つまみを回転して開弁または閉弁とすることができる。カバーは、装着者に、すなわち人体に電気的に導通され、静電靴を介して導電床、または大地に接地される。
【００２５】
こうして圧力容器がたとえば金属製圧力容器本体の外周面にエポキシ樹脂などの電気絶縁性被覆層が形成された構成において、そのような被覆層に静電気が帯電しても、また、静電誘導によって圧力容器が帯電しても、カバーが人体を介して接地されているために、静電遮蔽状態となり、発生した静電気が外部に放電しなくなる。
【００２６】
さらに本発明に従えば、上述のように開口には、袋体が設けられ、この袋体はコロナ放電機能があり、または導電性であり、これによって開口が大きく開いた状態になっていたとしても、カバー内の圧力容器、塞止弁、減圧弁および背負具などの構成要素が外部に露出することは、袋体によって防がれる。こうして帯電防止機能が確実に達成され、また帯電した静電気の放電、したがって火花の発生を確実に防ぐことができる。
【００２７】
コロナ放電は、不平等電界によって電界の集中が起こった部分のみが電離を起こす局部的な放電であり、シュッという微弱な破壊音とともに発光を伴う。コロナ放電は、放電エネルギ密度が小さいので、静電気災害、障害の原因になる確率は低く、繊維状の導体で発生するコロナ放電は、可燃性物質の着火源になる確率が極めて小さい。袋体のコロナ放電機能を有するシート体は、導電性繊維入り織物などであってもよい。さらに袋体は、導電性のシート体から成るとき、カバー体に固定されることによって、カバー体と電気的に導通状態となり、したがって人体に電気的に導通される。
【００２８】
また本発明の実施の一形態は、背負具には、コロナ放電機能のある材料または導電性材料から成り、装着者に装着する背負バンドが取付けられ、
カバーには、背負バンドが挿通する開口が形成されることを特徴とする。
【００２９】
本発明に従えば、金属製背負具に取付けられる背負バンドは、カバーから少なくとも部分的に露出しており、この背負バンドはコロナ放電機能を有する材料から成ることによって、静電気の帯電が防止される。または背負バンドが導電性材料から成ることによって背負具に電気的に導通して帯電が防止される。
【００３０】
また本発明は、圧力容器内の吸気ガスを、その圧力容器に取付けられ手動つまみの操作によって開閉可能な塞止弁から、減圧弁に導いて減圧し、中圧ホースおよび供給弁を介して面体に供給し、
圧力容器は、装着者の背部に支持される金属製背負具に着脱自在に取付けられる静電気導電形呼吸器において、
導電性シート体から成り、圧力容器、塞止弁、減圧弁および背負具を覆い、塞止弁の手動つまみの位置付近に、開閉可能な開口が形成される可撓性カバーと、コロナ放電機能を有するシート体または導電性のシート体から成り、前記開口に連なって固定され、カバーの内方に配置され、手首を開口から内方に挿入して塞止弁の手動つまみを操作するための可撓性袋体とを含み、
面体に、その面体の装着時に顔面に接触する位置に、設けられる導電性接触片と、
面体に設けられ、一端部が接触片に接続され、他端部は、減圧弁、塞止弁、圧力指示計導気管、圧力指示計、中圧ホース、供給弁およびカバーに電気的に導通され、１０5〜１０7Ωの抵抗値を有する固定抵抗器とを含むことを特徴とする静電気導電形呼吸器である。
【００３１】
本発明に従えば、接触片と固定抵抗器との組合わせによって、前述のように静電気導電性能を、周囲の温度によって変化することを防いで安定化することができるとともに、呼吸器の静電気導電性能の点検を、絶縁抵抗計によって簡単に行うことができるようになるとともに、塞止弁の手動つまみを操作するための袋体がカバーの開口に固定されることによって、開口がたとえ開いたままの状態になったとしても、そのカバーによって外囲される圧力容器などの構成要素の静電気の帯電を防止し、また静電気による放電を防いで火花の発生を防ぐことが確実になる。
【００３２】
また本発明の実施の一形態は、面体は、弾力性を有する環状のシール部材を有し、
このシール部材は、顔面の顎の下部から顎の下前部にわたって延び、
接触片は、シール部材の下前部に配置されていることを特徴とする。
【００３３】
本発明に従えば、面体を装着者の顔面に装着する際に、接触片はその顔面の顎（オトガイ）の下前部（オトガイ三角）に接触して、人体との電気的導通が達成される。シール部材には、顎の下部から、接触片が配置される顎の下前部にわたって延び、すなわち面体の気密性が達成される内方寄りにシール部材が配置されることになる。これによって接触片がシール部材に取付けられていても、そのシール部材と顔面との気密性が確実に保たれ、接触片付近で顔面内のガスが外部に漏洩することはなく、また外部のガスが面体内に侵入するおそれはない。
【００３４】
本発明は、開放式呼吸器に関連して実施されるだけでなく、呼気を循環し、呼気中の炭酸ガスを吸収して用いる閉鎖式呼吸器に関連してもまた、実施される。
【００３５】
【発明の実施の形態】
図１は、本発明の実施の一形態の静電気導電形呼吸器１の面体２の側方から見た一部を切欠いた断面図である。静電気導電形呼吸器１を装着する人体３の顔面４に、面体２を装着する。
【００３６】
図２は、静電気導電形呼吸器１の全体の構成を示す図である。圧縮された空気が充填された圧力容器５は、ステンレス鋼などの金属材料から成る背負具６の金属板７に着脱交換可能に取付けられる。圧力容器５は、全体が金属材料のみから成ってもよく、または金属製圧力容器本体の外周面にエポキシ樹脂などの電気絶縁性被覆層が形成された構成であってもよい。圧力容器５の金属製圧力容器本体は、たとえばアルミニウムから成り、その外周面に形成される被覆層の厚みは、たとえば３〜４ｍｍである。背負具６には、カーボン繊維入り帯電防止布から成る背負バンド８が取付けられ、また同様な素材から成る腹部または腰部に装着されるバンド９が設けられる。これらのバンド８，９には、合成樹脂製バックル１０，１１，１２が取付けられ、これらのバックル１０，１１，１２は比較的小形であり、その帯電量はわずかであり、帯電された電荷によって可燃性物質に着火する程度の火花が発生するおそれはない。
【００３７】
圧力容器５の下部の口部１３には、塞止弁１４が取付けられ、さらに減圧弁１５が塞止弁１４に接続される。減圧弁１５は、可撓性を有する中圧ホース１６および供給弁であるプレッシャデマンド弁２２を経て、面体２に接続される。可撓性を有する導電性シート体から成るカバー１７は、圧力容器５、塞止弁１４、減圧弁１５および背負具６などを覆う。
【００３８】
塞止弁１４および減圧弁１５は、金属製であり、その塞止弁１４の手動つまみ１８は、電気絶縁性合成樹脂製である。
【００３９】
図３は、静電気導電形呼吸器１の簡略化した側面図である。カバー１７によって覆われた背負具６を装着者の背中にあて、背負バンド８で肩から背負うことによって、装着される。また面体２は、前述のように装着者３の顔面４に装着される。
【００４０】
図４は、静電気導電形呼吸器１のガスの流れを示す系統図である。圧力容器５内の高圧力の吸気ガスは、たとえば１５０〜３００ｋｇｆ／ｃｍ2 であり、その吸気ガスは減圧弁１５に導かれ、約６ｋｇｆ／ｃｍ2 に減圧される。減圧弁１５からの吸気ガスは、中圧ホース１６を経てプレッシャデマンド弁２２に導かれ、大気圧付近まで減圧され、このプレッシャデマンド弁２２を経て面体２に導かれる。このプレッシャデマンド弁２２は、面体２内の圧力を、陽圧に保つプレッシャデマンド機能を有し、呼吸に応じて作動する。呼気は、プレッシャデマンド形呼気弁２３を経て大気放散される。
【００４１】
さらに圧力容器５内の吸気ガスの圧力を検出することができるようにするために、圧力指示計２４が、可撓性圧力指示計導気管２５を介して減圧弁１５を介して接続される。この圧力指示計導気管２５にはまた、圧力容器５内の吸気ガスの圧力が、始動設定圧力、たとえば３０ｋｇｆ／ｃｍ2に減少したときに警報音を発生する警報器２６が接続される。
【００４２】
図５は、本件静電気導電形呼吸器１の静電気が漏洩する経路を示す簡略化した図である。本発明によれば、面体２に関連して導電性接触片２７と、固定抵抗器２８とが備えられる。人体３には、静電靴２９をはき、静電気帯電防止用床３０上を歩行するものとする。静電靴２９の電気抵抗値は１０5〜１０7Ωである。呼吸器１の静電気を円滑に接地された導電床３０に逃がすには、その静電靴２９とその静電靴２９が最も離れたカバー１７との間の静電気の漏洩経路Ｌ１の電気抵抗値は、１０8Ω以下になっていなければならない。したがって面体２に取付けてある接触片２７とカバー１７との間の静電気の漏洩経路Ｌ２の電気抵抗値は、１０7Ω以下に定められる。
【００４３】
図６は面体２の正面図であり、図７は面体２の側面図であり、図８はその面体２の側方から見た一部の断面図である。これらの図面と前述の図１とを参照して、面体２において、枠体３２には、透光性を有するアイピースと呼ぶことができる前面板３３が固定され、その内方の前部に、プレッシャデマンド弁２２を固定する固定具３０と呼気弁２３とが取付けられる。固定具３０の導電性接続口１１６には、プレッシャデマンド弁２２の導電性接続口１１７が着脱可能に嵌合して取付けられる。面体２の固定具３０、プレッシャデマンド弁２２、面体２のシール部材３５などは導電性であり、さらに中圧ホース１６の金属製被覆体６６（後述の図１３参照）は、プレッシャデマンド弁２２の接続口１１７に電気的に導通している。このプレッシャデマンド弁２２には、中圧ホース１６が接続される。枠体３２には、人体３の頭部に枠体３２を着脱可能に固定するための締めひも３４が取付けられる。
【００４４】
枠体３２には、環状のシール部材３５の基端部が固定される。シール部材３５は、軟質弾力性を有する導電性ゴムから成り、人体３の顔面４の鼻の上部３６、頬（ほお）および顎（あご）３７の表面に当接して面接触し、密着し、気密性を保つ。シール部材３５の下部は、顎３７の下部（オトガイ三角）３７ａの下面に弾発的に接触するシール部下部３８と、そのシール部下部３８から顎３７の下前部（オトガイ）３７ｂにわたって延びるシール部下前部３９とを含む。これらのシール部下部３８およびシール部下前部３９は、顎３７に沿って左右に延びる。シール部下部３８およびシール部下前部３９の外部には、取付け部４０が連なり、この取付け部４０は、枠体３２の下部に固定される。こうして顔面４の鼻および口は、軟質弾力性を有する導電性ゴムから成る内マスク３５ａによって気密に空間４１に臨む。内マスク３５ａの周縁部は、前述のシール部材３５を構成する。空間４１には、呼気弁２３が連通する。
【００４５】
図９は、図７の矢符ＩＸから見た面体２の内方の一部を示す正面図である。シール部材３５の顎３７において、シール部下部３８よりも内方で気密性を達成するシール部下前部３９には、本発明に従う導電性接触片２７が固定される。
【００４６】
図１０は、接触片２７とその付近の側方から見た断面図である。この接触片２７は、顎３７の下前部３７ｂに当接する偏平な円板状当接部４３と、その当接部４３の中央から一体的に延びてシール部材３５の下前部３９を挿通する軸部４４と、シール部下前部３９に関して当接部４３とは反対側で、軸部４４に順次的に挿通する平座金１２１と、圧着端子である接続端子６１と、ばね座金１２２と、軸部４４に刻設された外ねじに螺合する内ねじを有するナット４５とを含む。こうして面体２を顔面４に装着することによって、接触片２７の当接部４３は、顎３７の下前部３７ｂに弾発的に当接することができる。しかも空間４１と外部との気密性は、シール部材３５の下前部３９よりも外方で、シール部下部３８が顎３７の下部３７ａに弾発的に密着して、達成される。したがって接触片２７がシール部下前部３９に取付けられることによって、気密性が低下するおそれはない。
【００４７】
図１１は固定抵抗器２８を含む抵抗部材４７の全体の構成を示す正面図であり、図１２は固定抵抗器２８付近の断面図である。固定抵抗器２８は、たとえば金属皮膜抵抗、カーボン抵抗、巻線抵抗などであってもよい。固定抵抗器２８の全体の形状は、ほぼ直円柱状に形成され、その軸線上に一対のリード線４９，５０が固定される。リード線４９の一端部は、一方の被覆導線５１の導線５３に、かしめ接続片５４によって固定されて接続される。もう１つのリード線５０の他端部は、他方の被覆導線５２の導線５５に、かしめ接続片５６によって固定されて接続される。被覆導線５１は、導線５３が塩化ビニルなどの電気絶縁性材料などから成る被覆層５７によって被覆されて構成される。他方の被覆導線５２もまた、導線５５が塩化ビニルなどの電気絶縁性材料から成る被覆層５８によって被覆されて構成される。
【００４８】
固定抵抗器２８、リード線４９，５０、かしめ接続片５４，５６および被覆層５７，５８から露出している導線５３，５５は、電気絶縁物５９によって被覆される。電気絶縁物５９は、たとえばエポキシ樹脂などの合成樹脂製接着剤などであってもよい。電気絶縁物５９は、被覆層５７，５８の各端部を覆う。熱収縮性合成樹脂製円筒状チューブ６０は、電気絶縁物５９とその電気絶縁物５９から遠去った位置で被覆層５７，５８を覆う。固定抵抗器２８、リード線４９，５０およびかしめ接続片５４，５６を含む全長ａ１は、たとえば約３５ｍｍである。
【００４９】
導線５３，５５の固定抵抗器２８とは反対側の端部には、円形の接続孔を有する圧着端子である接続端子６１，６２が導線５３，５５に接続される。一方の接続端子６１の接続孔には、軸部４４が挿通し、シール部下前部３９との間でナット４５によって締付けられて固定される。これによって接続端子６１は、接触片２７に電気的に接続される。抵抗部材４７は、図１、図８および図９から明らかなように、シールした前部３９と、取付け部４０との間に配置され、面体２を人体３の顔面４に装着した状態において、顔面４に接触せず、しかもシール部材３５によるシール機能を妨げない位置に配置される。さらにこの抵抗部材４７は、中圧ホース１６からの乾燥した吸気ガスがプレッシャデマンド弁２２を経て面体２の空間４１に導入される入口６４付近に配置される。したがってもしも仮に、電気絶縁物５９および円柱状のチューブ６０による水密性が不充分であったとしても、抵抗部材４７の固定抵抗器２８、リード線４９，５０、かしめ接続片５４，５６および導線５３，５５などの金属部分が水蒸気および水滴が接触することが防がれ、これによって酸化腐食またはショートすることが防がれる。
【００５０】
図１３は、中圧ホース１６の軸線に垂直な断面図である。この中圧ホース１６は、ゴム製の管本体６５の外周面に、導電性である金属製網から成る被覆体６６によって補強され、さらにその上に帯電防止性能を有するゴム製被覆層１１８で被覆された構成を有する。接続口１１６には、図１に明らかに示されるように、取付け片６７およびボルト、ナットの組合せ６８によって、抵抗部材４７の被覆導線５２の接続端子６２が接続される。この接続口１１６は、前述のように導電性であり、この接続口１１６に、プレッシャデマンド弁２２の接続口１１７が嵌合されて電気的に接続され、この接続口１１７は、被覆体６６に電気的に接続されている。こうして接触片２７は、固定抵抗器２８を介して、プレッシャデマンド弁２２を経て、さらに中圧ホース１６の被覆体６６に電気的に導通されることになる。被覆層１１８は導電性ゴムから成ってもよい。さらに管本体６５は導電性ゴムから成ってもよい。
【００５１】
図１４は、静電気を逃がすために用いられるアース線である連結用導線６９と、その連結用導線６９の接続状態とを示す簡略化した斜視図である。中圧ホース１６の被覆体６６には、減圧弁１５寄りの他端部で、連結用導線６９が、環状のかしめ片７０によって固定される。この連結用導線６９は、複数の可撓性を有する素線から成る撚り線であり、全体が可撓性を有する。
【００５２】
図１５は、かしめ片７０付近の断面図である。かしめ片７０によって連結用導線６９の一端部は、金属製被覆体６６の他端部上に押付けられて電気的に接続される。金属製被覆体６６は、中圧ホース１６端部の金具に接している。その中圧ホース１６の端部の金具にかしめ片７０によって連結用導線６９の途中の部分を押し付けて電気的に接続する。この連結用導線６９の端部は、圧力指示計導気管２５の塞止弁１４側付近の端部で、その導気管２５の保護のためのコイル状被覆体７１の端部に、環状のかしめ片７２によって接続される。
【００５３】
図１６は、連結用導線６９を金属製コイル状被覆体７１に接続する構成を示す断面図である。圧力指示計導気管２５は、可撓性を有する合成樹脂製導気管本体７３の外周を、コイル状被覆体７１によって外囲されて構成される。導気管本体７３の端部は、塞止弁１４と一体的に固定されている減圧弁１５の接続口７４に取付けられている管継手７５が嵌合され、金属製かしめリング７６によって気密を保持し、固定される。コイル状被覆体７１は、このかしめリング７６に接触して電気的に導通する。かしめリング７６は、金属製管継手７５を経て、金属製減圧弁１５に電気的に接続される。このコイル状被覆体７１の端部は、図１７に示されるように、連結用導線６９とともに、たとえばアルミニウムなどから成るかしめ片７２によって外囲されてかしめられ、固定される。
【００５４】
連結用導線６９はさらに次に、背負い具６に、図１４に示されるように環状の束縛片７８によって縛着される。これによって連結用導線６９は、背負具６に電気的に接続される。連結用導線６９の他端部は、接続端子７９が接続される。接続端子７９には、円形の取付孔８０が形成される。導電性カバー１７の内側で、その隅部８１には、小ねじ８２が挿通孔８３を挿通し、接続端子７９の取付孔８０を挿通し、ワッシャ８４，８５とばねワッシャ８６を用いて、ナット８７によって締付けられて固定される。こうして、連結用導線６９は、導電性カバー１７に電気的に接続される。
【００５５】
図１８は導電性カバー１７の表を裏返した状態で示す図であり、図１９はそのカバー１７の裏を裏返した図であり、図２０はそのカバー１７の隅部の詳細を裏返した状態で示す図である。カバー１７は、基本的に導電性シート体８８から成り、その表側、したがって圧力容器５に関して背負具６とは反対側には、スライドファスナ８９の操作片９０によって開閉可能に構成されるほぼ密閉された袋状に形成される。操作片９０は、図１８では、カバー１７の下端部に位置し、閉じた状態となっている。このカバー１７を開くには、操作片９０を図１８において上昇変位すればよい。図１８、図１９および図２０において、カバー１７のシート体８８は、ミシン掛けされ、そのミシン掛けされた縫い目は、破線で示されている。カバー１７のシート体８８は、図２０に示されるように、それらの各隅部において、参照符９４〜９７において弯曲した隅部を形成するようにミシン掛けされる。
【００５６】
図１９に明らかに示されるように、カバー１７には、背負バンド８を挿通するためのスリット状切欠き９１，９２，９３が形成される。これらの切欠き９１，９２，９３は、背負バンド８，９をほぼぴったりと挿通し、空間が生じることはなない。これによってそれらの切欠き９１，９２，９３に隙間が生じたままになることはない。したがって静電気の外部の部材への放電が生じるおそれはない。
【００５７】
さらに本発明に従えば、カバー１７のシート体８８には、塞止弁１４の手動つまみ１８の位置に対応したスリット状の切欠きである開口１０１が形成される。カバー１７のシート体８８の下部付近には、図１９に示されるように、前述の塞止弁１８の手動つまみ１４を、片方の手で操作することができるようにするために、上下に細長いスリット状の開口１０１が形成される。開口１０１の長さａ２は、たとえば２０ｃｍであってもよい。
【００５８】
図２１は、ファスナ８９の簡略化した横断面図である。シート体８８のカバー部９８は、ファスナ８９を外方（図２１の下方）で覆い、これによってファスナ８９が外方に露出することが防がれる。ファスナ８９は、電気絶縁性合成樹脂材料から成り、導電性材料で覆うため、静電気対策となる。
【００５９】
図２２は、カバー１７のシート体８８の図２０の隅部９６付近の一部を示す平面図である。このシート体８８の隅部８１は、破線で示されるようにミシン掛けされる。この隅部８１には、図１４に関連して前述したように、挿通孔８３が形成される。隅部８１では、シート体８８が二重に配置されるので、連結用導線６９の接続および電気的導通が、確実である。隅部８１は、カバー１７の内方にある。
【００６０】
図２３は、開口１０１に取付けられる可撓性袋体１０２を、カバー１７の内方から見た斜視図である。袋体１０２は、細長いシート体が、折れ線１０３で折り返され、その両側部が破線で示されるようにミシン目１０４，１０５でミシン掛けされ、開口１０１の両側で取付け片１０６，１０７によってミシン掛けされて固定される。こうして袋体１０２は、カバー１７の内方に配置される。開口１０１から手、さらには前腕の一部分を袋体１０２の内方に挿入し、手動つまみ１４を操作することができる。この袋体１０２の開口１０１に沿う長さａ３は、２２ｃｍであり、その深さａ４は１８．７ｃｍであってもよい。
【００６１】
袋体１０２は、可撓性を有するシート体から成り、その袋体１０２はコロナ放電性であってもよく、または導電性であってもよい。袋体１０２のシート体が導電性であるとき、取付片１０６，１０７でミシン掛けされることによって、カバー１７に袋体１０２が電気的に導通される。袋体１０２を構成するシート体は、次に述べる図２３に示されるシート体８８と同様な素材から成り、導電性に構成されてもよい。
【００６２】
図２４は、カバー１７を構成するシート体８８の断面図である。カバー１７は、布１０９の両面に、導電性ゴム材料から成る被覆層１１０，１１１が被覆されて構成される。これによってシート体８８の強度が向上される。したがって本件呼吸器１を装着している作業者が作業しているとき、カバー１７が外部の障害となる部材に引っ掛かっても、そのカバー１７を構成するシート体８８が破損することが防がれ、強度が向上されることになる。被覆層１１０，１１１は、カーボン粉末または金属粉末を含み、導電性を有し、たとえば１０6Ωの抵抗値を有する。布１０９は、電気絶縁性であってもよく、または導電性であってもよい。
【００６３】
袋体１０２がコロナ放電機能を有するシート体から成るときには、そのシート体は、たとえばポリエステルなどの合成樹脂繊維とステンレス鋼などの金属またはカーボンの繊維との混紡糸から成る織布または編布から成り、さらに不織布であってもよい。ステンレス鋼繊維は、シート体のたとえば０．２〜１０％混入されて用いられてもよい。さらに、ステンレス鋼繊維を約０．２〜１％均一に分散させた織物に、たとえば２．５〜５ｃｍ間隔で、ステンレス鋼繊維を３〜５％入れることによって、さらにコロナ放電機能を高めることができる。袋体１０２は、その他の構成を有するコロナ放電機能を有するシート体から成ってもよい。
【００６４】
袋体１０２がコロナ放電機能を有するシート体から成る構成において、図２５に示されるように、シート体の電気絶縁性材料から成る繊維などの帯電物体１１３に帯電した静電気は、微弱なコロナ放電によって、外部の先鋭な突起部分などの接地導体１１４に流れる。繊維状の導体で発生するコロナ放電は、その放電エネルギ密度がきわめて小さく、可燃性物質の着火源になる確立がきわめて小さく、安全である。
【００６５】
【発明の効果】
請求項１の本発明によれば、面体に接触片を取付けることによって、その接触片は顔面に接触し、この接触片に固定抵抗器が接続されることによって、その固定抵抗器に順次接続される呼吸器の構成要素と前記接触片との間の電気抵抗値が、周囲の温度によって変化することを防ぎ、これによって静電気導電性能を安定化することができる。したがって広い温度範囲にわたり、優れた静電気導電性能を達成し、静電気の帯電を防ぐことができる。
【００６６】
さらに本発明によれば、接触片と前記構成要素との間での絶縁抵抗計などによる電気抵抗値の測定が簡便に行うことができ、先行技術に関連して述べたように、人体の頭部模型などの検査治具を必要とせず、点検が簡単に行われるようになる。
【００６７】
さらに本発明によれば、電気抵抗値を、前述のように約１０5〜１０7Ωに選び、したがって本件呼吸器のたとえば金属製部分などがたとえば１００〜４００Ｖの商用電源に接触しても、装着者が感電するおそれはなく、しかも発生した静電気を呼吸器の構成要素から固定抵抗器を介して接触片から人体を経由して、導電床（または大地）に確実に逃がすことができるようになる。
【００６８】
さらに本発明によれば、固定抵抗器は、電気絶縁性被覆層を有する２つの各導線にそれぞれ接続され、電気絶縁物によって被覆されるので、固定抵抗器のリード線および前記導線などの金属部分が水蒸気および水滴などに接触することが防がれ、電気的接続が確実になり、信頼性が向上するとともに、寿命を長くすることができる。
【００６９】
請求項２の本発明によれば、固定抵抗器を、吸気ガスの入口付近に配置し、これによって乾燥した吸気ガスが固定抵抗器付近に存在することになるので、固定抵抗器の金属部分、たとえば前述のようにリード線および導線などが、水蒸気および水滴などによって腐食することが防がれ、信頼性が向上し、寿命を長くすることができる。
【００７０】
請求項３の本発明によれば、可撓性カバーによって圧力容器、塞止弁、減圧弁および背負具における電気絶縁性材料から成る部分の静電気の帯電を防止するとともに、たとえ静電気が帯電しても、外部の部材と放電することを防ぎ、火花の発生を防ぐことができ、さらにこの塞止弁の手動つまみを操作するためにカバーに開口が形成され、この開口に、コロナ放電機能を有するまたは導電性の袋体が固定されるので、手動つまみをたとえば片方の手で１８０度ずつ角変位して塞止弁を開弁状態にしたりまたは閉弁状態にしたりすることが容易に可能であり、その手動つまみの１回転操作量を、前述のようにたとえば１８０度などのように大きな範囲で操作することが可能である。しかも本発明によれば、カバーの開口が開いたままの状態にあっても、そのカバー内は、袋体によって防がれ、外部の物体との間での静電気の放電を防ぐことができ、安全性が向上される。
【００７１】
請求項４の本発明によれば、接触片および固定抵抗器を用いて、周囲の温度に依存した電気抵抗値の変動を防ぎ、静電気導電性能を安定化することができるとともに、接触片と呼吸器の構成要素との間のたとえば絶縁抵抗計による電気抵抗値の測定を行って点検を容易にすることができ、前述の先行技術に関連した人体の頭部模型などの検査治具を用いる必要がなくなるとともに、さらに、カバーおよびそのカバーの開口に固定される袋体を用いることによって、カバーで覆われる圧力容器、塞止弁、減圧弁および背負具などの構成要素における静電気の帯電を防ぐとともに、外部の部材との間での放電による火花の発生を防ぎ、さらに開口部がたとえ開いたままになっていたとしても、袋体によってその開口が防がれ、前述のように静電気の帯電を防止し、静電気の放電を防ぐことができる。袋体を用いることによって、塞止弁の手動つまみの角変位操作を容易に行うことができるとともに、一方の手で手動つまみをつかんで比較的大きな１回毎の角変位量で回転操作することができ、操作性が良好である。もしも仮にカバーの上から手動つまみをつかんでその手動つまみを回転操作しようとしたとき、手動つまみを確実につかむことが困難であるとともに、その１回毎の角変位量を大きくすることができず、操作性が悪い。本発明はこの問題を解決する。
【図面の簡単な説明】
【図１】本発明の実施の一形態の静電気導電形呼吸器１の面体２の側方から見た一部を切欠いた断面図である。
【図２】静電気導電形呼吸器１の全体の構成を示す図である。
【図３】静電気導電形呼吸器１の簡略化した側面図である。
【図４】静電気導電形呼吸器１のガスの流れを示す系統図である。
【図５】本件静電気導電形呼吸器１の静電気が漏洩する経路を示す簡略化した図である。
【図６】面体２の正面図である。
【図７】面体２の側面図である。
【図８】面体２の側方から見た一部の断面図である。
【図９】図７の矢符ＩＸから見た面体２の内方の一部を示す正面図である。
【図１０】導電性接触片２７とその付近を示す側方から見た断面図である。
【図１１】固定抵抗器２８を含む抵抗部材４７の全体の構成を示す正面図である。
【図１２】固定抵抗器２８付近の断面図である。
【図１３】中圧ホース１６の軸線に垂直な断面図である。
【図１４】静電気を逃がすために用いられるアース線である連結用導線６９と、その連結用導線６９の接続状態とを示す簡略化した斜視図である。
【図１５】かしめ片７０付近の断面図である。
【図１６】連結用導線６９を被覆体７１に接続する構成を示す断面図である。
【図１７】連結用導線６９をコイル状被覆体７１に接続する構成を示す斜視図である。
【図１８】導電性カバー１７の表を裏返した状態で示す図である。
【図１９】カバー１７の裏を裏返した図である。
【図２０】カバー１７の隅部の詳細を裏返した状態で示す図である。
【図２１】ファスナ８９の簡略化した横断面図である。
【図２２】カバー１７のシート体８８の隅部９６付近の図１９の一部を示す平面図である。
【図２３】開口１０１に取付けられる可撓性袋体１０２を、カバー１７の内方から見た斜視図である。
【図２４】カバー１７を構成するシート体８８の断面図である。
【図２５】コロナ放電機能を有する繊維の放電機構を示す図である。
【符号の説明】
１  静電気導電形呼吸器
２  面体
３  人体
４  顔面
５  圧力容器
６  背負具
７  金属板
８  背負バンド
１４  塞止弁
１５  減圧弁
１６  吸気管
１７  カバー
１８  手動つまみ
２２  プレッシャデマンド弁
２３  呼気弁
２４  圧力指示計
２５  可撓性圧力指示計導気管
２６  警報器
２７  導電性接触片
２８  固定抵抗器
３３  前面板
３５  環状のシール部材
３５ａ  内マスク
３７  顎
３８  シール部下部
３９  シール部下前部
４０  取付け部
４１  空間
４７  抵抗部材
４９，５０  リード線
５１，５２  被覆導線
５３，５５  導線
５４，５６  かしめ接続片
５７，５８  被覆層
５９  電気絶縁物
６０  熱収縮性チューブ
６５  管本体
６６  被覆体
６７  取付け片
６９  連結用導線
７０，７２  かしめ片
７１  コイル状被覆体
８８  導電性シート
８９  スライドファスナ
９０  操作片
９１，９２，９３，９４  切欠き
１０１  開口
１０２  可撓性袋体
【図１】
0003788859.tif 000002
【図２】
0003788859.tif 000003
【図３】
0003788859.tif 000004
【図４】
0003788859.tif 000005
【図５】
0003788859.tif 000006
【図６】
0003788859.tif 000007
【図７】
0003788859.tif 000008
【図８】
0003788859.tif 000009
【図９】
0003788859.tif 000010
【図１０】
0003788859.tif 000011
【図１１】
0003788859.tif 000012
【図１２】
0003788859.tif 000013
【図１３】
0003788859.tif 000014
【図１４】
0003788859.tif 000015
【図１５】
0003788859.tif 000016
【図１６】
0003788859.tif 000017
【図１７】
0003788859.tif 000018
【図１８】
0003788859.tif 000019
【図１９】
0003788859.tif 000020
【図２０】
0003788859.tif 000021
【図２１】
0003788859.tif 000022
【図２２】
0003788859.tif 000023
【図２３】
0003788859.tif 000024
【図２４】
0003788859.tif 000025
【図２５】
0003788859.tif 000026